(57)【特許請求の範囲】
【請求項１】
長手方向約６０ｃｍ、短手方向約３０ｃｍの長方形の形状のマット苗が育苗されるように四方の側壁（２，２，３，３）及び底板（４）が設けられ上部が開放された構成で、且つ前記四方の側壁（２，２，３，３）は前記底板（４）の上面からの高さが２９〜３０ｍｍとなるように設けられた育苗箱において、長手方向の側壁（２，２）に高さ約２ｍｍの排水孔（５…）が設けられ、短手方向の側壁（３，３）には排水孔が設けられず、底板（４）に対角線上が高位となり外周部に向かって下っていくように傾斜部を設けた育苗箱。
【発明の詳細な説明】
【０００１】
【発明の属する技術分野】
この発明は、水稲等の苗を育苗するための育苗箱に関するものである。
【０００２】
【従来の技術及びこの発明が解決しようとする課題】
従来、底面に排水孔が設けられた水稲等の苗を育苗するための育苗箱がある。この育苗箱においては、下方に向かって伸びる苗の根が育苗箱の底面に設けられた排水孔から育苗箱の外部に突出する。これにより、苗の根が育苗箱を載置した置床の土壌内に伸長することがあり、置床の土壌内に伸長した苗の根が前記置床の土壌内の養分を吸収することがあるため、育苗された苗に成育むらが生じることがある。また、育苗箱を移動するとき、育苗箱の外部に伸長した苗の根が置床に喰いついていると、育苗箱を取り出しにくいことがある。
【０００３】
そこで上記課題を解決するべく、排水孔が育苗箱の側壁に設けられた育苗箱があるが、この育苗箱においては、育苗箱の底面を完全な水平面にするのは困難であることから、排水が円滑に行われにくいため育苗箱の底部の所々に水が溜りやすく、育苗箱内の位置によって苗の成育むらが生じやすい。
【０００４】
【課題を解決するための手段】
この発明は、上記課題を解決すべく次の技術的手段を講じた。
すなわち、長手方向約６０ｃｍ、短手方向約３０ｃｍの長方形の形状のマット苗が育苗されるように四方の側壁２，２，３，３及び底板４が設けられ上部が開放された構成で、且つ前記四方の側壁２，２，３，３は前記底板４の上面からの高さが２９〜３０ｍｍとなるように設けられた育苗箱において、長手方向の側壁２，２に高さ約２ｍｍの排水孔５…が設けられ、短手方向の側壁３，３には排水孔が設けられず、底板４に対角線上が高位となり外周部に向かって下っていくように傾斜部を設けた育苗箱とした。
【０００５】
【作用】
本発明の育苗箱は、該育苗箱に培土等の床材が充填されると共に播種されて育苗される。この育苗において、前記育苗箱に灌水が行われると培土等の床材が吸水し該床材から種子が吸水して苗が成育することになるが、育苗箱に灌水された水のうち前記床材に保持されず育苗箱の底部に降下した過剰な水は、該育苗箱の底板の傾斜部をつたって側壁の排水孔に向かって流れ、該排水孔から排水される。また、育苗箱の短手方向の側壁には排水孔が設けられていないので、根が短手方向の側壁において育苗箱の外部に突出しない。更に、底板に対角線上が高位となり外周部に向かって下っていくように傾斜部を設けたので、育苗床の乾燥しやすい育苗箱の外周部に水が供給されやすくなり、成育むらが抑制される。
【０００６】
【発明の効果】
本発明の育苗箱により、苗の根が育苗箱を載置した置床の土壌内に伸長することが防止され苗が育苗された育苗箱が取り出しにくいようなことをなくすると共に、床材に保持されず育苗箱の底部に降下した過剰な水は育苗箱の底板の傾斜部をつたって側壁の排水孔から排水されるので、育苗箱の底部に降下した過分な水分を育苗箱内から効率よく排出でき、育苗箱の底部に水が散在することによる成育むらを防止できる。また、育苗箱の短手方向の側壁には排水孔が設けられず、底板に対角線上が高位となり外周部に向かって下っていくように傾斜部を設けたので、根が短手方向の側壁において育苗箱の外部に突出せず、苗取板を前記短手方向の側壁から苗の底面に差し込んで育苗箱からマット苗を取り出すとき、容易にマット苗の端部を持ち上げて前記苗取板を差し込むことができる。更に、育苗床の乾燥しやすい育苗箱の外周部に水が供給されやすくなり、成育むらが抑制される。
【０００７】
【実施例】
この発明の一実施例を図面に基づき説明する。
図１は、マット状の水稲苗を栽培するための育苗箱１であり、この育苗箱１は、長手方向約６０ｃｍ、短手方向約３０ｃｍの長方形の形状のマット苗が育苗されるように、四方の側壁２，２，３，３及び底板４が設けられ上部が開放された構成となっている。尚、前記四方の側壁２，２，３，３は、前記底板４の上面からの高さが２９〜３０ｍｍとなるように設けられている。前記側壁２，２，３，３のうち長手方向に設けられた側壁２，２には下部の３か所に高さ約２ｍｍの排水孔５…が等間隔に設けられ、この育苗箱１は合計６か所の排水孔５…が設けられた構成となっている。前記底板４は、育苗箱１の短手方向における中央部６を高位にして両側端７，７に向かって緩やかに下った傾斜面となっており、排水孔５…に向かって下っていくような傾斜部を構成している。高位となる前記中央部６と低位となる両側端部７，７とは、１ｍｍ〜１．５ｍｍの高低差となるよう設けられている。また、前記傾斜面の傾斜方向に沿ってしぼ（浅い溝）８…が設けられており、このしぼ８…により底板４にまで降下した水が育苗箱１の中央部６から両側端部７，７へ前記傾斜面をつたって流れ易いように構成されている。また、底板４の下側には複数のリブ９…が設けられており、このリブ９…により前記底板４ひいては育苗箱１が撓んだりするのを防止している。
【０００８】
次に、この育苗箱１による水稲苗の育苗行程を説明する。まず、前記育苗箱１に所定量の育苗培土が充填される。そして、その充填された育苗培土上に種籾が散播播種され、所定量の育苗培土が覆土される。そして、適宜育苗箱１の上方より散水することにより灌水して育苗し、前記種籾から根及び芽が伸長していく。この伸長する根が前記育苗培土中の養分を吸収すると共に灌水により吸水した育苗培土中から吸水することにより、苗が成長していく。
【０００９】
従って、育苗培土に保持されず育苗箱１の底部に降下した水は該育苗箱１の底板４の傾斜面をつたって側壁２，２の排水孔５…から排水されるので、育苗箱１の底部に降下した過分な水分を育苗箱内から効率よく排出でき、育苗箱１の底部に水が散在することによる成育むらを防止できる。すなわち、マット苗の成育に不揃いを生じさせるのを抑制することができる。
【００１０】
尚、種籾から伸長した根は前記側壁２，２の排水孔５…から育苗箱１の外部に伸長していくので、根が育苗箱１の置床に伸長することが抑制され、根が育苗箱１の置床に伸長することで置床から育苗箱１を取り出しにくいことが抑制される。また、この育苗箱１は該育苗箱１の短手方向の側壁３，３には排水孔が設けられず根が前記側壁３，３において育苗箱１の外部に突出していないので、苗取板を前記短手方向の側壁３，３から苗の底面に差し込んで育苗箱１からマット状の苗を取り出すとき、容易にマット苗の端部を持ち上げて前記苗取板を差し込むことができる。
【００１１】
尚、上記育苗箱１の底板４には育苗箱１の外部と連通する孔を設けない構成としたが、前記底板４に水が通過することができない程度の小孔の通気孔を設けてもよい。
尚、底板４は、該底板４の一部分のみが排水孔５…に向かって下っていくような傾斜面となった傾斜部を備えた構成としてもよい。
【００１２】
ところで、図４に示すように、育苗箱１の前記両側部７，７に長手方向に前記排水孔５…の下面と同高さである排水溝１０，１０が設けられた構成としてもよい。この排水溝１０，１０は、底板４の傾斜面の下端より低い位置に設けられ、前記傾斜面をつたって両側部７，７に流れてくる水を溜めて排水孔５…からの排水を促進することができる。
【００１３】
また、図５に示すように、前記底板４を育苗箱１の対角線上が高位となるような傾斜面としてもよい。この育苗箱１の底板４は該育苗箱の外周部に向かって下っていくように傾斜しているので、育苗床の乾燥しやすい前記外周部に水が供給されやすく、成育むらが抑制される構成となっている。
【図面の簡単な説明】
【図１】この発明の一実施例の育苗箱を示す斜視図
【図２】図１の育苗箱の側面図
【図３】Ａ−Ａ断面図
【図４】育苗箱を示す切断断面図
【図５】育苗箱を示す斜視図
【符号の説明】
１…育苗箱、２，２，３，３…側壁、４…底板、５…排水孔
【図１】
0003680481.tif 000002
【図２】
0003680481.tif 000003
【図３】
0003680481.tif 000004
【図４】
0003680481.tif 000005
【図５】
0003680481.tif 000006